(57)【要約】【課題】伝送効率を向上させ、伝送品質の劣化を抑制することができる基地局、端末、無線通信システムおよび通信方法の提供に資すること。【解決手段】複数のチャネルを使用して、端末と時分割複信方式の無線通信を行う基地局は、下りリンク信号の送信区間において、端末へ第１のチャネルを使用して下りリンク信号を送信する送信部と、第１の上りリンク信号の受信区間において、端末が第１の送信方法を用いて送信した第１の上りリンク信号を、第１の送信方法に対応する第１の受信方法を用いて受信し、下りリンク信号の送信区間において、第１のチャネルと異なる第２のチャネルを使用し、端末が第１の送信方法よりも受信性能の高い第２の送信方法を用いて送信した第２の上りリンク信号を、第２の送信方法に対応する第２の受信方法を用いて受信する受信部と、を備える。【選択図】図１
2019176243.tif 000002
【特許請求の範囲】
【請求項１】
複数のチャネルを使用して、端末と時分割複信方式の無線通信を行う基地局であって、
下りリンク信号の送信区間において、前記端末へ第１の前記チャネルを使用して前記下りリンク信号を送信する送信部と、
第１の上りリンク信号の受信区間において、前記端末が第１の送信方法を用いて送信した前記第１の上りリンク信号を、前記第１の送信方法に対応する第１の受信方法を用いて受信し、前記下りリンク信号の送信区間において、前記第１のチャネルと異なる第２のチャネルを使用し、前記端末が前記第１の送信方法よりも受信性能の高い第２の送信方法を用いて送信した第２の上りリンク信号を、前記第２の送信方法に対応する第２の受信方法を用いて受信する受信部と、
を備える、
基地局。
【請求項２】
前記第１のチャネルと前記第２のチャネルとの間の周波数方向における間隔が狭いほど、前記第２の送信方法の受信性能は、前記第１の送信方法の受信性能よりも高くなる、
請求項１に記載の基地局。
【請求項３】
前記第１のチャネルと前記第２のチャネルは、同一の周波数帯に含まれる、
請求項１に記載の基地局。
【請求項４】
使用可能なチャネルの中から、前記複数のチャネルを選択するチャネル選択部と、
前記複数のチャネルのそれぞれを、前記第１のチャネルまたは前記第２のチャネルに設定し、前記第２のチャネルに対して前記第２の送信方法を設定するＵＬ／ＤＬ選択部と、
を備え、
前記下りリンク信号は、前記複数のチャネルそれぞれが前記第１のチャネルであるか、または、前記第２のチャネルであるかを示す情報と、前記第２の送信方法を示す情報とを含む、
請求項１に記載の基地局。
【請求項５】
前記第１の送信方法は、第１の変調多値数を有する変調方式を含み、
前記第２の送信方法は、前記第１の変調多値数よりも小さい変調多値数を有する変調方式を含む、
請求項１に記載の基地局。
【請求項６】
前記第１の送信方法は、第１の符号化率を有する誤り訂正符号化方式を含み、
前記第２の送信方法は、前記第１の符号化率よりも小さい符号化率を有する誤り訂正符号化方式を含む、
請求項１に記載の基地局。
【請求項７】
前記第２の送信方法は、時空間符号を使用し、複数のアンテナから送信する方法を含む、
請求項１に記載の基地局。
【請求項８】
複数のチャネルを使用して、基地局と時分割複信方式の無線通信を行う端末であって、
下りリンク信号の受信区間において、前記基地局が第１の前記チャネルを使用して送信した前記下りリンク信号を受信する受信部と、
第１の上りリンク信号の送信区間において、前記基地局へ、第１の送信方法を用いて前記第１の上りリンク信号を送信し、前記下りリンク信号の受信区間において、前記基地局へ、前記第１のチャネルと異なる第２のチャネルを使用し、前記第１の送信方法よりも受信性能の高い第２の送信方法を用いて第２の上りリンク信号を送信する送信部と、
を備える、
端末。
【請求項９】
複数のチャネルを使用して、端末と基地局とが時分割複信方式の無線通信を行う無線通信システムであって、
前記基地局は、
下りリンク信号の区間において、前記端末へ第１の前記チャネルを使用して前記下りリンク信号を送信する送信部と、
第１の上りリンク信号の区間において、前記端末が第１の送信方法を用いて送信した前記第１の上りリンク信号を、前記第１の送信方法に対応する第１の受信方法を用いて受信し、前記下りリンク信号の区間において、前記第１のチャネルと異なる第２のチャネルを使用し、前記端末が前記第１の送信方法よりも受信性能の高い第２の送信方法を用いて送信した第２の上りリンク信号を、前記第２の送信方法に対応する第２の受信方法を用いて受信する受信部と、
を備え、
前記端末は、
前記下りリンク信号の区間において、前記第１のチャネルを使用して前記下りリンク信号を受信する受信部と、
前記第１の上りリンク信号の区間において、前記第１の送信方法を用いて前記第１の上りリンク信号を送信し、前記下りリンク信号の区間において、前記第２のチャネルを使用し、前記第２の送信方法を用いて前記第２の上りリンク信号を送信する送信部と、
を備える、
無線通信システム。
【請求項１０】
複数のチャネルを使用して、端末と基地局とが時分割複信方式の無線通信を行う通信方法であって、
前記基地局は、
下りリンク信号の区間において、前記端末へ第１の前記チャネルを使用して前記下りリンク信号を送信し、
第１の上りリンク信号の区間において、前記端末が第１の送信方法を用いて送信した前記第１の上りリンク信号を、前記第１の送信方法に対応する第１の受信方法を用いて受信し、
前記下りリンク信号の区間において、前記第１のチャネルと異なる第２のチャネルを使用し、前記端末が前記第１の送信方法よりも受信性能の高い第２の送信方法を用いて送信した第２の上りリンク信号を、前記第２の送信方法に対応する第２の受信方法を用いて受信し、
前記端末は、
前記下りリンク信号の区間において、前記第１のチャネルを使用して前記下りリンク信号を受信し、
前記第１の上りリンク信号の区間において、前記第１の送信方法を用いて前記第１の上りリンク信号を送信し、
前記下りリンク信号の区間において、前記第２のチャネルを使用し、前記第２の送信方法を用いて前記第２の上りリンク信号を送信する、
通信方法。
【発明の詳細な説明】
【技術分野】
【０００１】
本開示は、基地局、端末、無線通信システムおよび通信方法に関する。
【背景技術】
【０００２】
従来、テレビの生中継、緊急報道等の映像伝送を行う無線通信システムに用いる装置として、ＦＰＵ（Field Pick-up Unit）が知られている。このＦＰＵは、放送分野の素材伝送のために用いられ、中継現場側の移動局（端末）から放送局側の基地局へ本線情報の上りリンク（ＵＬ：Uplink）信号を伝送し、放送局側の基地局から中継現場側の移動局へ送り返し情報の下りリンク（ＤＬ：Downlink）信号を伝送する。カメラにより撮像された映像は、リアルタイムでファイル伝送され、移動局から基地局へＵＬ信号として送信され、記憶メディアに格納され再生される。
【０００３】
また、伝送効率の向上のために、ＦＰＵでは、複数の周波数のチャネル（以下、チャネルと記載する）を同時に使用してＵＬ信号とＤＬ信号を伝送する方法も検討されている。
【０００４】
複数のチャネルを同時に使用する場合、ＦＰＵの伝送効率を改善するためには、基地局は、ＤＬ信号の送信区間において、複数のチャネルの少なくとも１つを使用してＤＬ信号を送信し、ＤＬ信号を送信しないチャネルを使用してＵＬ信号を受信することが考えられる。
【０００５】
例えば、特許文献１では、基地局と複数の端末とのセルラー通信において、フレームを構成するスロット毎にＤＬ信号の送信とＵＬ信号の受信とを予め固定したパターンを用いる技術が開示されている。
【先行技術文献】
【特許文献】
【０００６】
【特許文献１】特開２０１５−１６５６０５号公報
【発明の概要】
【発明が解決しようとする課題】
【０００７】
しかしながら、ＦＰＵでは端末の送信電力が大きいため、ＤＬ信号の送信とＵＬ信号の受信とを同時に行うと、ＵＬ信号を受信する隣接チャネルにおける帯域外の漏洩によりチャネル間の干渉が発生し、伝送品質（例えば、ＵＬ信号の受信品質）が劣化してしまうおそれがある。
【０００８】
本開示の非限定的な実施例は、伝送効率を向上させ、伝送品質の劣化を抑制することができる基地局、端末、無線通信システムおよび通信方法の提供に資することである。
【課題を解決するための手段】
【０００９】
本開示の一態様に係る基地局は、複数のチャネルを使用して、端末と時分割複信方式の無線通信を行う基地局であって、下りリンク信号の送信区間において、前記端末へ第１の前記チャネルを使用して前記下りリンク信号を送信する送信部と、第１の上りリンク信号の受信区間において、前記端末が第１の送信方法を用いて送信した前記第１の上りリンク信号を、前記第１の送信方法に対応する第１の受信方法を用いて受信し、前記下りリンク信号の送信区間において、前記第１のチャネルと異なる第２のチャネルを使用し、前記端末が前記第１の送信方法よりも受信性能の高い第２の送信方法を用いて送信した第２の上りリンク信号を、前記第２の送信方法に対応する第２の受信方法を用いて受信する受信部と、を備える。
【００１０】
本開示の一態様に係る端末は、複数のチャネルを使用して、基地局と時分割複信方式の無線通信を行う端末であって、下りリンク信号の受信区間において、前記基地局が第１の前記チャネルを使用して送信した前記下りリンク信号を受信する受信部と、第１の上りリンク信号の送信区間において、前記基地局へ、第１の送信方法を用いて前記第１の上りリンク信号を送信し、前記下りリンク信号の受信区間において、前記基地局へ、前記第１のチャネルと異なる第２のチャネルを使用し、前記第１の送信方法よりも受信性能の高い第２の送信方法を用いて第２の上りリンク信号を送信する送信部と、を備える。
【００１１】
本開示の一態様に係る無線通信システムは、複数のチャネルを使用して、端末と基地局とが時分割複信方式の無線通信を行う無線通信システムであって、前記基地局は、下りリンク信号の区間において、前記端末へ第１の前記チャネルを使用して前記下りリンク信号を送信する送信部と、第１の上りリンク信号の区間において、前記端末が第１の送信方法を用いて送信した前記第１の上りリンク信号を、前記第１の送信方法に対応する第１の受信方法を用いて受信し、前記下りリンク信号の区間において、前記第１のチャネルと異なる第２のチャネルを使用し、前記端末が前記第１の送信方法よりも受信性能の高い第２の送信方法を用いて送信した第２の上りリンク信号を、前記第２の送信方法に対応する第２の受信方法を用いて受信する受信部と、を備え、前記端末は、前記下りリンク信号の区間において、前記第１のチャネルを使用して前記下りリンク信号を受信する受信部と、前記第１の上りリンク信号の区間において、前記第１の送信方法を用いて前記第１の上りリンク信号を送信し、前記下りリンク信号の区間において、前記第２のチャネルを使用し、前記第２の送信方法を用いて前記第２の上りリンク信号を送信する送信部と、を備える。
【００１２】
本開示の一態様に係る通信方法は、複数のチャネルを使用して、端末と基地局とが時分割複信方式の無線通信を行う通信方法であって、前記基地局は、下りリンク信号の区間において、前記端末へ第１の前記チャネルを使用して前記下りリンク信号を送信し、第１の上りリンク信号の区間において、前記端末が第１の送信方法を用いて送信した前記第１の上りリンク信号を、前記第１の送信方法に対応する第１の受信方法を用いて受信し、前記下りリンク信号の区間において、前記第１のチャネルと異なる第２のチャネルを使用し、前記端末が前記第１の送信方法よりも受信性能の高い第２の送信方法を用いて送信した第２の上りリンク信号を、前記第２の送信方法に対応する第２の受信方法を用いて受信し、前記端末は、前記下りリンク信号の区間において、前記第１のチャネルを使用して前記下りリンク信号を受信し、前記第１の上りリンク信号の区間において、前記第１の送信方法を用いて前記第１の上りリンク信号を送信し、前記下りリンク信号の区間において、前記第２のチャネルを使用し、前記第２の送信方法を用いて前記第２の上りリンク信号を送信する。
【００１３】
なお、これらの包括的または具体的な態様は、システム、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１４】
本開示の一態様によれば、伝送効率を向上させ、伝送品質の劣化を抑制することができる基地局、端末、無線通信システムおよび通信方法の提供に資する。
【００１５】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１６】
【図１】本開示の実施の形態に係る基地局の構成例を示すブロック図
【図２】本開示の実施の形態に係る端末の構成例を示すブロック図
【図３】本開示の実施の形態に係る送受信信号の第１の例を示す図
【図４】本開示の実施の形態に係る送受信信号の第２の例を示す図
【図５】本開示の実施の形態に係る送受信信号の第３の例を示す図
【図６】本開示の実施の形態に係る送受信信号の第４の例を示す図
【図７】ＤＬ信号に含まれるフレームのフォーマットの一例を示す図
【図８】本開示の実施の形態における基地局の処理フローを示すフローチャート
【図９】本開示の実施の形態における端末の処理フローを示すフローチャート
【発明を実施するための形態】
【００１７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１８】
なお、添付図面および以下の説明は、当業者が本開示を十分に理解するために、提供されるのであって、これらにより特許請求の範囲に記載の主題を限定することは意図されていない。
【００１９】
（一実施の形態）
本実施の形態に係る無線通信システムは、図１に示す基地局１００と、図２に示す端末２００と、を有する。基地局１００および端末２００は、例えば、放送分野の素材伝送に用いられるＦＰＵである。すなわち、端末２００はＵＬ信号として映像情報等を基地局１００へ送信し、基地局１００はＤＬ信号として、フィードバックするＤＬ制御情報等を端末２００へ送信する。
【００２０】
また、本実施の形態に係る無線通信システムでは、時分割複信（ＴＤＤ：Time Division Duplex）方式を用いて、ＵＬ信号とＤＬ信号とが送受信される。また、ＵＬ信号とＤＬ信号の間には、ガードタイムと呼ばれる信号の無送信区間が設けられる。また、本実施の形態に係る無線通信システムでは、複数の周波数帯が利用可能であり、各周波数帯が複数のチャネルを含んでいる。そして、本実施の形態に係る無線通信システムでは、複数の周波数帯それぞれに含まれる複数のチャネルの少なくとも１つを用いてＵＬ信号とＤＬ信号とが送受信される。
【００２１】
＜基地局の構成＞
本実施の形態に係る基地局１００の構成例について図１を用いて説明する。図１は、本実施の形態に係る基地局１００の構成例を示すブロック図である。
【００２２】
図１に示すように、基地局１００は、送受切替部１０１と、無線受信部１０２−１〜１０２−Ｍ（Ｍは２以上の整数）と、ベースバンド受信処理部１０３と、ＡＧＣ／同期検出部１０４と、受信処理制御部１０５と、干渉測定部１０６と、チャネル選択部１０７と、ＵＬ／ＤＬ選択部１０８と、チャネル情報生成部１０９と、ベースバンド送信処理部１１０と、プリアンブル生成部１１１と、付加部１１２と、無線送信部１１３−１〜１１３−Ｎ（Ｎは２以上の整数）と、から主に構成される。
【００２３】
そして、無線受信部１０２−１〜１０２−Ｍと、ベースバンド受信処理部１０３と、ＡＧＣ／同期検出部１０４と、受信処理制御部１０５と、干渉測定部１０６と、から主に構成される受信部１１４は、端末２００からＵＬ信号を受信する。また、ベースバンド送信処理部１１０と、プリアンブル生成部１１１と、付加部１１２と、無線送信部１１３−１〜１１３−Ｎと、から主に構成される送信部１１５は、端末２００へＤＬ信号を送信する。なお、Ｍは、例えば、受信部１１４がＵＬ信号を受信可能なチャネルの数、Ｎは、例えば、送信部１１５がＤＬ信号を送信可能なチャネルの数である。ＭとＮは、同一であっても良いし、異なっていても良い。
【００２４】
送受切替部１０１は、後述するＵＬ／ＤＬ選択部１０８から設定情報を取得し、各フレームの上りリンク区間（ＵＬ（Uplink）区間）および下りリンク区間（ＤＬ（Downlink）区間）において、信号の送信と受信の切替を行う。例えば、送受切替部１０１は、ＵＬ区間において、設定情報が示すチャネルそれぞれを使用してアンテナを介してＵＬ信号を受信するように切替を行う。また、送受切替部１０１は、ＤＬ区間において、設定情報が示すチャネルそれぞれを使用してＵＬ信号の受信またはＤＬ信号の送信を行うように信号の送信と受信の切替を行う。なお、設定情報が示すチャネルとは、後述するチャネル選択部１０７によって選択され、通信に用いられるチャネルである。
【００２５】
なお、設定情報に、ＤＬ区間においてＵＬ信号を受信する受信方法を示す情報が含まれる場合、送受切替部１０１は、ＤＬ区間においてＵＬ信号を受信する受信方法を適用して、ＵＬ信号を受信してもよい。例えば、送受切替部１０１は、ＤＬ区間において複数のアンテナを使用してＵＬ信号を受信する受信方法を適用してもよい。なお、ＤＬ区間において受信するＵＬ信号の受信方法がチャネル毎に設定される場合、送受切替部１０１は、チャネル毎に設定された受信方法を適用する。
【００２６】
無線受信部１０２−１〜１０２−Ｍは、後述する受信処理制御部１０５から取得する１フレーム前のＡＧＣ（Automatic Gain Control）の情報に基づき、送受切替部１０１を介して取得する無線信号（ＵＬ信号）に対して、増幅、フィルタリング等の無線受信処理を行う。そして、無線受信部１０２−１〜１０２−Ｍは、無線受信処理後の信号に対して、設定情報が示す各チャネルのキャリア周波数に基づいて、ダウンコンバートし、各チャネルのベースバンド信号を得る。そして、無線受信部１０２−１〜１０２−Ｍは、各チャネルのベースバンド信号を出力する。
【００２７】
ベースバンド受信処理部１０３は、後述する受信処理制御部１０５から取得するタイミング情報およびＵＬ／ＤＬ選択部１０８から取得する設定情報に基づき、無線受信部１０２−１〜１０２−Ｍから取得したベースバンド信号に対して、ＦＦＴ（Fast Fourier Transform）処理、復調処理、誤り訂正処理等のベースバンド受信処理を行う。そして、ベースバンド受信処理部１０３は、ベースバンド受信処理が行われた受信データを出力する。
【００２８】
例えば、設定情報が、ＤＬ区間において受信するＵＬ信号の受信方法に関する情報を含む場合、ベースバンド受信処理部１０３は、設定情報に基づいて、ＤＬ区間において受信するＵＬ信号のベースバンド信号に対して、ベースバンド受信処理を行う。例えば、ベースバンド受信処理部１０３は、ＤＬ区間において受信するＵＬ信号の変調方式および／または誤り訂正符号化方式に関する情報に基づいて、対応する復調および／または対応する誤り訂正処理を行う。なお、ＤＬ区間において受信するＵＬ信号の受信方法がチャネル毎に設定される場合、ベースバンド受信処理部１０３は、チャネル毎に設定されたベースバンド受信処理を行う。
【００２９】
なお、ベースバンド受信処理部１０３は、ＵＬ区間において受信するＵＬ信号のベースバンド信号に対して、予め決められたベースバンド受信処理を行ってもよいし、設定情報に基づいて、ベースバンド受信処理を行ってもよい。
【００３０】
ＡＧＣ／同期検出部１０４は、無線受信部１０２−１〜１０２−Ｍから取得したベースバンド信号に含まれるプリアンブルに基づいて、送受信間の同期のためのタイミングの情報、および、受信処理等における利得制御（ＡＧＣ）のための情報（例えば、信号レベル）を検出する。そして、ＡＧＣ／同期検出部１０４は、タイミング、ＡＧＣのための情報の検出結果を受信処理制御部１０５へ出力する。
【００３１】
受信処理制御部１０５は、ＡＧＣ／同期検出部１０４から取得する検出結果に基づいて、受信処理のタイミング、および、ＡＧＣを制御する。具体的には、受信処理制御部１０５は、ベースバンド受信処理の開始時点、終了時点等の処理タイミングを示すタイミング情報をベースバンド受信処理部１０３へ出力する。また、受信処理制御部１０５は、干渉測定の開始時点、終了時点等の処理タイミングを示すタイミング情報を干渉測定部１０６へ出力する。また、受信処理制御部１０５は、ＡＧＣの情報を無線受信部１０２−１〜１０２−Ｍへ出力する。
【００３２】
その際、受信処理制御部１０５は、ＡＧＣ／同期検出部１０４から検出結果を取得する場合、取得した検出結果に基づいて、タイミング情報およびＡＧＣの情報を生成する。
【００３３】
干渉測定部１０６は、受信処理制御部１０５から取得するタイミング情報に基づき、ガードタイムの区間を干渉測定区間として、干渉測定区間における、利用可能な各周波数帯が含む各チャネルの受信レベル（干渉量、例えば、受信強度（ＲＳＳＩ：Received Signal Strength Indicator））を測定する。あるいは、ガードタイムの区間における受信信号に対しＦＦＴ（Fast Fourier Transform）処理を行った結果を用いて、干渉測定を行ってもよい。例えば、干渉測定部１０６は、測定結果をチャネル選択部１０７へ出力する。
【００３４】
チャネル選択部１０７は、干渉測定部１０６によって測定された、各周波数帯が含む各チャネルの受信レベルに基づいて、通信に用いるチャネルを選択する。例えば、チャネル選択部１０７は、受信レベルが所定値以下のチャネルを、通信に用いるチャネルとして選択する。なお、チャネル選択部１０７が選択するチャネルは、同一の周波数帯に含まれていてもよいし、異なる周波数帯に含まれていてもよい。
【００３５】
ＵＬ／ＤＬ選択部１０８は、チャネル選択部１０７によって選択されたチャネルそれぞれについて、ＤＬ区間におけるＵＬ信号の受信（ＵＬ受信）に使用するか、または、ＤＬ区間におけるＤＬ信号の送信（ＤＬ送信）に使用するか、を選択する。例えば、ＵＬ／ＤＬ選択部１０８は、チャネル選択部１０７によって選択されたチャネルそれぞれを、ＤＬ区間におけるＵＬ信号の受信（ＵＬ受信）に使用するチャネル、または、ＤＬ区間におけるＤＬ信号の送信（ＤＬ送信）に使用するチャネルに設定する。
【００３６】
以下では、ＤＬ区間において基地局１００がＤＬ信号の送信（ＤＬ送信）に使用するチャネルは、Ｄ−ＤＬチャネルと記載されてもよい。また、ＤＬ区間において基地局１００がＵＬ信号の受信（ＵＬ受信）に使用するチャネルは、Ｄ―ＵＬチャネルと記載されてもよい。また、ＤＬ区間において送受信されるＵＬ信号は、Ｄ−ＵＬ信号と記載されてもよい。また、ＵＬ区間において送受信されるＵＬ信号は、Ｕ−ＵＬ信号と記載されてもよい。また、Ｄ−ＵＬ信号とＵ−ＵＬ信号は、区別することなく、適宜、ＵＬ信号と記載されてもよい。
【００３７】
なお、Ｄ−ＤＬチャネルは、ＤＬ区間においてＤＬ信号が送受信され、ＵＬ区間においてＵ−ＵＬ信号が送受信されるチャネルである。また、Ｄ−ＵＬチャネルは、ＤＬ区間においてＤ−ＵＬ信号が送受信され、ＵＬ区間においてＵ−ＵＬ信号が送受信されるチャネルである。
【００３８】
例えば、ＵＬ／ＤＬ選択部１０８は、チャネル選択部１０７によって選択されたチャネルの中で、比較的低いキャリア周波数のチャネルをＤ−ＤＬチャネルに設定する。そして、ＵＬ／ＤＬ選択部１０８は、チャネル選択部１０７によって選択されたチャネルの中で、Ｄ−ＤＬチャネルを除いたチャネルの全てまたは一部をＤ−ＵＬチャネルに設定する。
【００３９】
そして、ＵＬ／ＤＬ選択部１０８は、Ｄ−ＵＬチャネルを使用して送受信されるＤ−ＵＬ信号の信号処理パラメータを設定する。Ｄ−ＵＬ信号の信号処理パラメータは、Ｄ―ＵＬ信号の送信方法および／または受信方法（以下、送受信方法と記載する）に関するパラメータである。なお、複数のＤ−ＵＬチャネルが設定された場合、ＵＬ／ＤＬ選択部１０８は、複数のＤ−ＵＬチャネルそれぞれに対して、Ｄ−ＵＬ信号の信号処理パラメータを設定してもよい。
【００４０】
信号処理パラメータは、例えば、変調方式のパラメータ（例えば、変調多値数）および／または誤り訂正符号化方式のパラメータ（例えば、符号化率）を含む。また、信号処理パラメータには、端末２００がＳＴＣ（Space Time Coding）を用いて複数のアンテナからＵＬ信号を送信するか否かを示す情報が含まれてもよい。
【００４１】
例えば、ＵＬ／ＤＬ選択部１０８は、Ｕ―ＵＬ信号の送受信方法に関するパラメータに基づいて、Ｄ−ＵＬ信号の信号処理パラメータを設定する。一例としては、ＵＬ／ＤＬ選択部１０８は、Ｕ―ＵＬ信号の送受信方法よりも受信性能の高い送受信方法を、Ｄ−ＵＬ信号の送受信方法に設定する。なお、Ｕ−ＵＬ信号の送受信方法に関するパラメータは、ＵＬ／ＤＬ選択部１０８によって設定されてもよい。あるいは、Ｕ−ＵＬ信号の送受信方法に関するパラメータは、基地局１００と端末２００との間で既知のパラメータに予め設定されていてもよい。
【００４２】
受信性能の高い送受信方法とは、受信品質の向上が見込まれる送受信方法であり、例えば、受信誤り率の低い送受信方法、復調誤り率の低い送受信方法および復号誤り率の低い送受信方法の少なくとも１つである。
【００４３】
例えば、ＵＬ／ＤＬ選択部１０８は、Ｕ―ＵＬ信号の変調に用いられる変調方式よりも変調多値数の小さい変調方式を、Ｄ―ＵＬ信号の変調に用いられる変調方式に設定する。あるいは、ＵＬ／ＤＬ選択部１０８は、Ｕ−ＵＬ信号の誤り訂正符号化に用いられる符号化率よりも小さい符号化率を、Ｄ−ＵＬ信号の誤り訂正符号化に用いられる符号化率に設定する。
【００４４】
なお、ＵＬ／ＤＬ選択部１０８は、送受信方法に関するパラメータのうち、少なくとも１つのパラメータをＵ―ＵＬ信号とＤ−ＵＬ信号との間で異なるように設定すればよい。例えば、ＵＬ／ＤＬ選択部１０８は、Ｕ―ＵＬ信号の変調に用いられる変調方式よりも変調多値数の小さい変調方式を、Ｄ―ＵＬ信号の変調に用いられる変調方式に設定した場合、Ｕ―ＵＬ信号とＤ−ＵＬ信号との間で同じ符号化率を設定してもよい。
【００４５】
上述した例に限らず、ＵＬ／ＤＬ選択部１０８は、Ｕ−ＵＬ信号の送受信方法よりも受信性能が高い送受信方法をＤ−ＵＬ信号の送受信方法に設定する。例えば、ＵＬ／ＤＬ選択部１０８は、端末２００がＤ−ＵＬ信号を送信する場合に、ＳＴＣ（Space Time Coding）を用いて複数のアンテナからＵＬ信号を送信するように送受信方法を設定してもよい。
【００４６】
また、ＵＬ／ＤＬ選択部１０８は、Ｄ−ＤＬチャネルとＤ−ＵＬチャネルとの間の周波数方向における間隔（離調周波数）に基づいて、Ｄ−ＵＬ信号の信号処理パラメータを設定してもよい。
【００４７】
例えば、ＵＬ／ＤＬ選択部１０８は、Ｄ−ＤＬチャネルとＤ−ＵＬチャネルとの間の周波数方向における間隔が小さいほど、そのＤ−ＵＬチャネルを使用して送受信されるＤ−ＵＬ信号の変調方式の変調多値数を小さく設定する。あるいは、ＵＬ／ＤＬ選択部１０８は、Ｄ−ＤＬチャネルとＤ−ＵＬチャネルとの間の周波数方向における間隔が小さいほど、そのＤ−ＵＬチャネルを使用して送受信するＤ−ＵＬ信号の誤り訂正符号化の符号化率を小さく設定する。
【００４８】
上述した例に限らず、ＵＬ／ＤＬ選択部１０８は、Ｄ−ＤＬチャネルとＤ−ＵＬチャネルとの間の周波数方向における間隔が小さいほど、そのＤ−ＵＬチャネルを使用して送受信されるＤ−ＵＬ信号の送受信方法を、受信性能のより高い送受信方法に設定する。例えば、ＵＬ／ＤＬ選択部１０８は、Ｄ−ＤＬチャネルとＤ−ＵＬチャネルとの間の周波数方向における間隔が所定値以下の場合、端末２００がＳＴＣを用いて複数のアンテナからＤ−ＵＬ信号を送信するように送受信方法を設定する。
【００４９】
また、上述した例を適宜組み合わせてもよい。例えば、ＵＬ／ＤＬ選択部１０８は、Ｕ―ＵＬ信号の送受信方法に関するパラメータと、Ｄ−ＤＬチャネルとＤ−ＵＬチャネルとの間の周波数方向における間隔とに基づいて、Ｄ−ＵＬ信号の信号処理パラメータを設定してもよい。
【００５０】
なお、Ｄ−ＵＬチャネルまたはＤ−ＤＬチャネルの設定、および、Ｄ−ＵＬ信号の信号処理パラメータの例については、後述する。
【００５１】
ＵＬ／ＤＬ選択部１０８は、チャネル選択部１０７によって選択されたチャネルと、選択されたチャネルそれぞれがＤ−ＤＬチャネルか、または、Ｄ−ＵＬチャネルか、とを対応付けた情報（設定情報）を送受切替部１０１、チャネル情報生成部１０９、受信部１１４および送信部１１５へ出力する。設定情報には、ＵＬ／ＤＬ選択部１０８が、Ｄ−ＵＬチャネルに対して設定した、Ｄ−ＵＬ信号の信号処理パラメータが含まれる。なお、設定情報には、Ｕ―ＵＬ信号の送受信方法に関するパラメータが含まれてもよい。
【００５２】
チャネル情報生成部１０９は、ＵＬ／ＤＬ選択部１０８から取得する設定情報に基づいて、端末２００に通知する情報（チャネル情報）を生成する。チャネル情報生成部１０９は、チャネル情報をベースバンド送信処理部１１０へ出力する。なお、端末２００に通知する情報の具体例については、後述する。
【００５３】
ベースバンド送信処理部１１０は、送信データ（ＤＬデータ）およびチャネル情報に対して誤り訂正符号化および変調を行い、ＩＦＦＴ（Inverse Fast Fourier Transform）処理を行い、設定情報が示すチャネルの数のベースバンド信号を得る。そして、ベースバンド送信処理部１１０は、ベースバンド信号を付加部１１２へ出力する。
【００５４】
プリアンブル生成部１１１は、設定情報が示すチャネルの数のプリアンブルを生成し、付加部１１２へ出力する。プリアンブルデータは、予め端末２００と基地局１００とが既知のシンボルデータ等である。
【００５５】
付加部１１２は、所定のフレーム構成に基づき、送信データのベースバンド信号の前段にプリアンブル生成部１１１から取得するプリアンブルを付加する。そして、付加部１１２は、送信データのベースバンド信号の前段にプリアンブルを付加したベースバンドの送信信号を無線送信部１１３−１〜１１３−Ｎへ出力する。
【００５６】
無線送信部１１３−１〜１１３―Ｎは、プリアンブルが付加されたベースバンドの送信信号に対して、増幅、フィルタリング等の無線送信処理を行う。そして、無線送信部１１３−１〜１１３―Ｎは、設定情報が示す各チャネルのキャリア周波数に基づいて、無線送信処理後の信号に対してアップコンバートし、無線信号を得る。そして、無線送信部１１３−１〜１１３―Ｎは、送受切替部１０１を介してアンテナから無線信号（ＤＬ信号）を送信する。
【００５７】
＜端末の構成＞
次に、本実施の形態に係る端末２００の構成例について図２を用いて説明する。図２は、本実施の形態に係る端末２００の構成例を示すブロック図である。
【００５８】
図２に示すように、端末２００は、送受切替部２０１と、無線受信部２０２−１〜２０２−Ｎと、ベースバンド受信処理部２０３と、ＡＧＣ／同期検出部２０４と、受信処理制御部２０５と、チャネル情報抽出部２０６と、ベースバンド送信処理部２０７と、プリアンブル生成部２０８と、付加部２０９と、無線送信部２１０−１〜２１０−Ｍと、から主に構成される。
【００５９】
そして、無線受信部２０２−１〜２０２−Ｎと、ベースバンド受信処理部２０３と、ＡＧＣ／同期検出部２０４と、受信処理制御部２０５とから主に構成される受信部２１１は、基地局１００からＤＬ信号を受信する。また、ベースバンド送信処理部２０７と、プリアンブル生成部２０８と、付加部２０９と、無線送信部２１０−１〜２１０−Ｍとから主に構成される送信部２１２は、基地局１００へＵＬ信号を送信する。
【００６０】
送受切替部２０１は、後述するチャネル情報抽出部２０６からチャネル情報を取得し、ＵＬ区間およびＤＬ区間において、信号の送信と受信の切替を行う。例えば、送受切替部２０１は、ＵＬ区間において、チャネル情報が示すチャネルそれぞれを使用してアンテナを介してＵＬ信号（Ｕ−ＵＬ信号）を送信するように切替を行う。また、送受切替部２０１は、ＤＬ区間において、チャネル情報が示すチャネルそれぞれを使用してＵＬ信号（Ｄ−ＵＬ信号）の送信またはＤＬ信号の受信を行うように信号の送信と受信の切替を行う。なお、チャネル情報が示すチャネルとは、上述したチャネル選択部１０７によって選択され、通信に用いられるチャネルである。
【００６１】
なお、チャネル情報に、Ｄ−ＵＬ信号の送信方法に関する情報が含まれる場合、送受切替部２０１は、Ｄ−ＵＬ信号の送信方法を適用して、Ｄ−ＵＬ信号を送信してもよい。例えば、送受切替部２０１は、ＤＬ区間において複数のアンテナを使用してＤ−ＵＬ信号を送信する送信方法を適用してもよい。なお、Ｄ−ＵＬ信号の送信方法がチャネル毎に設定される場合、送受切替部２０１は、チャネル毎に設定された送信方法を適用する。
【００６２】
無線受信部２０２−１〜２０２−Ｎは、後述する受信処理制御部２０５から取得する１フレーム前のＡＧＣの情報に基づき、アンテナに受信された無線信号（ＤＬ信号）に対して、増幅、フィルタリング等の無線受信処理を行う。そして、無線受信部２０２−１〜２０２−Ｎは、無線受信処理後の信号に対して、チャネル情報が示す各チャネルのキャリア周波数に基づいて、ダウンコンバートし、各チャネルのベースバンド信号を得る。そして、無線受信部２０２−１〜２０２−Ｎは、各チャネルのベースバンド信号を出力する。
【００６３】
ベースバンド受信処理部２０３は、後述する受信処理制御部２０５から取得するタイミング情報に基づき、無線受信部２０２−１〜２０２−Ｎから取得したベースバンド信号に対して、ＦＦＴ（Fast Fourier Transform）処理、復調処理、誤り訂正処理等のベースバンド受信処理を行う。そして、ベースバンド受信処理部２０３は、ベースバンド受信処理が行われた受信データを出力する。なお、受信データには、基地局１００から送信されるチャネル情報のベースバンド受信処理の結果が含まれる。
【００６４】
ＡＧＣ／同期検出部２０４は、無線受信部２０２−１〜２０２−Ｎから取得したベースバンド信号に含まれるプリアンブルに基づいて、送受信間の同期のためのタイミングの情報、および、受信処理等における利得制御（ＡＧＣ）のための情報（例えば、信号レベル）を検出する。そして、ＡＧＣ／同期検出部２０４は、タイミング、ＡＧＣのための情報の検出結果を受信処理制御部２０５へ出力する。
【００６５】
受信処理制御部２０５は、ＡＧＣ／同期検出部２０４から取得する検出結果に基づいて、受信処理のタイミング、および、ＡＧＣを制御する。具体的には、受信処理制御部２０５は、ベースバンド受信処理の開始時点、終了時点等の処理タイミングを示すタイミング情報をベースバンド受信処理部２０３へ出力する。また、受信処理制御部２０５は、ＡＧＣの情報を無線受信部２０２−１〜２０２−Ｎへ出力する。
【００６６】
チャネル情報抽出部２０６は、ベースバンド受信処理部２０３から受信データを取得し、チャネル情報を抽出する。そして、チャネル情報抽出部２０６は、抽出したチャネル情報を送受切替部２０１、受信部２１１および送信部２１２へ出力する。
【００６７】
ベースバンド送信処理部２０７は、チャネル情報に基づいて、送信データ（ＵＬデータ）に対して誤り訂正符号化処理、変調処理、および、ＩＦＦＴ（Inverse Fast Fourier Transform）処理等のベースバンド送信処理を行い、チャネル情報が示すチャネルの数の送信データのベースバンド信号を得る。
【００６８】
例えば、チャネル情報がＤ−ＵＬ信号の送信方法に関する情報を含む場合、ベースバンド送信処理部２０７は、Ｄ−ＵＬ信号の送信方法に関する情報に基づいて、ＤＬ区間において送信する送信データ（ＵＬデータ）に対してベースバンド送信処理を行う。例えば、ベースバンド送信処理部２０７は、Ｄ−ＵＬ信号の変調方式および／または誤り訂正符号化方式に関する情報に基づいて、誤り訂正符号化処理および／または変調処理を行う。なお、Ｄ−ＵＬ信号の送信方法がチャネル毎に設定される場合、ベースバンド送信処理部２０７は、チャネル毎に設定されたベースバンド送信処理を行う。
【００６９】
なお、ベースバンド送信処理部２０７は、ＵＬ区間において送信する送信データに対して、予め決められたベースバンド送信処理を行ってもよいし、チャネル情報に基づいてベースバンド送信処理を行ってもよい。
【００７０】
そして、ベースバンド送信処理部２０７は、送信データのベースバンド信号を付加部２０９へ出力する。
【００７１】
プリアンブル生成部２０８は、チャネル情報が示すチャネルの数のプリアンブルを生成し、付加部２０９へ出力する。
【００７２】
付加部２０９は、所定のフレーム構成に基づき、送信データのベースバンド信号の前段にプリアンブル生成部２０８から取得するプリアンブルを付加する。そして、付加部２０９は、送信データのベースバンド信号の前段にプリアンブルを付加したベースバンドの送信信号を無線送信部２１０−１〜２１０−Ｍへ出力する。
【００７３】
無線送信部２１０−１〜２１０−Ｍは、プリアンブルが付加されたベースバンドの送信信号に対して、増幅、フィルタリング等の無線送信処理を行う。そして、無線送信部２１０−１〜２１０−Ｍは、チャネル情報が示す各チャネルのキャリア周波数に基づいて、無線送信処理後の信号に対してアップコンバートし、無線信号（ＵＬ信号）を得る。そして、無線送信部２１０−１〜２１０−Ｍは、送受切替部２０１を介してアンテナからＵＬ信号を送信する。
【００７４】
以上説明したように、本実施の形態に係る無線通信システムでは、基地局１００は、無線通信に用いる複数のチャネルを選択する。基地局１００は、選択した複数のチャネルを、ＤＬ区間においてＤＬ信号を送信するチャネル（Ｄ−ＤＬチャネル）またはＤＬ区間においてＵＬ信号を受信するチャネル（Ｄ−ＵＬチャネル）に設定する。そして、基地局１００は、Ｄ−ＵＬチャネルを使用してＤＬ区間において送受信されるＵＬ信号（Ｄ−ＵＬ信号）に対して、Ｄ−ＵＬ信号の信号処理パラメータを設定する。
【００７５】
＜送受信信号の例＞
次に、本実施の形態に係る基地局１００および端末２００の間で送受信される信号の例を参照して、Ｄ−ＵＬチャネルまたはＤ−ＤＬチャネルの設定、および、Ｄ−ＵＬ信号の信号処理パラメータの例を説明する。
【００７６】
なお、以下では、Ｄ−ＵＬ信号の信号処理パラメータの一例として、変調方式の変調多値数を設定する例を説明する。
【００７７】
図３は、本実施の形態に係る送受信信号の第１の例を示す図である。
【００７８】
図３の横軸は時間を示し、縦軸は周波数を示す。図３には、チャネルｆ１１とチャネルｆ１２とチャネルｆ１３とを含むＢａｎｄ１が示される。チャネルｆ１１とチャネルｆ１２と間の離調周波数はｄｆａであり、チャネルｆ１２とチャネルｆ１３との間の離調周波数はｄｆｂであり、チャネルｆ１１とチャネルｆ１３との間の離調周波数はｄｆｃである。例えば、ｄｆａ＝ｄｆｂ＞０であり、ｄｆｃ＝２×ｄｆａである。
【００７９】
また、図３には、時間方向で連続するｎ番目（ｎは１以上の整数）のフレーム（フレーム＃ｎ）とｎ＋１番目のフレーム（フレーム＃ｎ＋１）の２つのフレームと、各フレームのＵＬ区間およびＤＬ区間が示される。前述の通り、本実施の形態における無線通信システムでは、時分割複信方式を用いた通信が行われるため、図３に示すように、ＵＬ区間とＤＬ区間とは、時分割によって設けられている。
【００８０】
なお、ＵＬ区間とＤＬ区間との間（例えば、ＵＬ信号とＤＬ信号との間）には、ガードタイム（ＧＴ：Guard Time）が設けられる場合があるが、図示の便宜上、省略する。以降に示す図においても同様にＧＴは、省略されている。
【００８１】
本実施の形態に係る無線通信システムでは、例えば、Ｂａｎｄ１として１．２ＧＨｚ帯または２．３ＧＨｚ帯が使用される。
【００８２】
図３は、基地局１００が、３つのチャネルのうち、チャネルｆ１１とチャネルｆ１２を選択し、チャネルｆ１１をＤ−ＤＬチャネルに設定し、チャネルｆ１２をＤ−ＵＬチャネルに設定した場合の送受信信号の例である。
【００８３】
図３の例では、ＵＬ区間において、端末２００はチャネルｆ１１とチャネルｆ１２を使用してＵＬ信号（Ｕ−ＵＬ信号）を送信し、基地局１００はチャネルｆ１１とチャネルｆ１２を使用してＵ−ＵＬ信号を受信する。図３の例において、Ｕ−ＵＬ信号に用いられる変調方式は、２５６ＱＡＭである。２５６ＱＡＭの変調多値数は、２５６である。なお、Ｕ−ＵＬ信号の変調に用いられる変調方式は、第１の変調方式と記載されてもよい。
【００８４】
そして、図３の例では、ＤＬ区間において、基地局１００はチャネルｆ１１を使用してＤＬ信号を送信し、端末２００はチャネルｆ１２を使用してＵＬ信号（Ｄ―ＵＬ信号）を送信する。ＤＬ区間において、基地局１００は、チャネルｆ１２を使用して端末２００によって送信されたＤ−ＵＬ信号を受信し、端末２００は、チャネルｆ１１を使用して基地局１００によって送信されたＤＬ信号を受信する。図３の例において、Ｄ−ＵＬ信号の変調に用いられる変調方式は、１６ＱＡＭである。１６ＱＡＭの変調多値数は、１６である。なお、Ｄ−ＵＬ信号の変調に用いられる変調方式は、第２の変調方式と記載されてもよい。
【００８５】
図３に示すように、本実施の形態に係る無線通信システムにおいて、基地局１００により選択されたＤ−ＵＬチャネルが、Ｄ−ＤＬチャネルと隣接する場合、ＤＬ区間において、基地局１００はＤ−ＤＬチャネルを使用してＤＬ信号を送信し、端末２００は、Ｄ−ＵＬチャネルを使用してＤ−ＵＬ信号を送信する。その際、Ｄ−ＵＬ信号の変調に用いられる変調方式（第２の変調方式）には、Ｕ−ＵＬ信号の変調に用いられる変調方式（第１の変調方式）よりも変調多値数の小さい変調方式が用いられる。
【００８６】
第２の変調方式に、第１の変調方式よりも変調多値数の小さい変調方式が用いられることにより、ＤＬ区間において、チャネル間の干渉が発生した場合であっても、Ｄ−ＵＬ信号の復調誤りが低減できるため、伝送品質（例えば、Ｄ−ＵＬ信号の受信品質）の劣化を抑制できる。また、ＤＬ区間において、ＤＬ信号の送受信に使用されないチャネル（Ｄ−ＵＬチャネル）を用いてＵＬ信号（Ｄ−ＵＬ信号）の送受信が行えるため、伝送効率（例えば、ＵＬ信号の伝送効率）を向上させることができる。
【００８７】
なお、図３では、Ｕ−ＵＬ信号に用いられる変調方式として２５６ＱＡＭ、Ｄ−ＵＬ信号の変調に用いられる変調方式として１６ＱＡＭを用いた場合について示したが、本開示はこれらの変調方式に限定されることはなく、任意の変調方式を用いることが可能である。なお、Ｄ−ＵＬ信号の変調に用いられる変調方式を変更する場合について示したが、本開示は、Ｄ−ＵＬ信号における誤り訂正符号の符号率を変更することも可能であるし、Ｄ−ＵＬ信号送信区間においては複数のアンテナから同一情報を送信することも可能である。また、例えば変調方式と誤り訂正符号の符号率の両方を変更するなどのように、これらを組み合わせることも可能である。
【００８８】
また、図３では、基地局１００が選択した２つのチャネルが、同一の周波数帯に含まれ、互いに隣接するチャネルである例を示した。例えば、基地局１００が選択したチャネルが同一の周波数帯に含まれ、互いに隣接しないチャネルであってもよい。
【００８９】
なお、互いに隣接しないチャネルである場合も、帯域外の漏洩によりチャネル間の干渉が発生する可能性がある。帯域外の漏洩によるチャネル間の干渉の影響は、チャネル間の離調周波数の大きさにより異なる。
【００９０】
次に、選択されたチャネルの間の離調周波数が、図３の例と異なる場合について、図４を参照して説明する。
【００９１】
図４は、本実施の形態に係る送受信信号の第２の例を示す図である。
【００９２】
図４の横軸は時間を示し、縦軸は周波数を示す。図４には、図３と同様に、チャネルｆ１１とチャネルｆ１２とチャネルｆ１３とを含むＢａｎｄ１が示される。
【００９３】
また、図４には、ｎ番目（ｎは１以上の整数）のフレーム（フレーム＃ｎ）とｎ＋１番目のフレーム（フレーム＃ｎ＋１）の２つのフレームが示される。
【００９４】
図４は、基地局１００が、３つのチャネルのうち、チャネルｆ１１とチャネルｆ１３を選択し、チャネルｆ１１をＤ−ＤＬチャネルに設定し、チャネルｆ１３をＤ−ＵＬチャネルに設定した場合の送受信信号の例である。
【００９５】
図４の例では、ＵＬ区間において、端末２００はチャネルｆ１１とチャネルｆ１３を使用してＵＬ信号（Ｕ−ＵＬ信号）を送信し、基地局１００はチャネルｆ１１とチャネルｆ１３を使用してＵ−ＵＬ信号を受信する。図４の例において、Ｕ−ＵＬ信号の変調に用いられる変調方式（第１の変調方式）は、２５６ＱＡＭである。
【００９６】
そして、図４の例では、ＤＬ区間において、基地局１００はチャネルｆ１１を使用してＤＬ信号を送信し、端末２００はチャネルｆ１３を使用してＵＬ信号（Ｄ−ＵＬ信号）を送信する。ＤＬ区間において、基地局１００は、チャネルｆ１３を使用して端末２００によって送信されたＤ−ＵＬ信号を受信し、端末２００は、チャネルｆ１１を使用して基地局１００によって送信されたＤＬ信号を受信する。図４の例において、Ｄ−ＵＬ信号の変調に用いられる変調方式（第２の変調方式）は、６４ＱＡＭである。６４ＱＡＭの変調多値数は、６４である。
【００９７】
図４に示すように、本実施の形態に係る無線通信システムにおいて、基地局１００により選択されたＤ−ＵＬチャネルが、Ｄ−ＤＬチャネルと、隣接しないチャネルである場合、ＤＬ区間において、基地局１００はＤ−ＤＬチャネルを使用してＤＬ信号を送信し、端末２００は、Ｄ−ＵＬチャネルを使用してＤ−ＵＬ信号を送信する。その際、Ｄ−ＵＬ信号の変調に用いられる変調方式（第２の変調方式）には、Ｕ−ＵＬ信号の変調に用いられる変調方式（第１の変調方式）よりも変調多値数の小さい変調方式が用いられる。
【００９８】
第２の変調方式に、第１の変調方式よりも変調多値数の小さい変調方式が用いられることにより、ＤＬ区間において、チャネル間の干渉が発生した場合であっても、Ｄ−ＵＬ信号の復調誤りが低減できるため、伝送品質（例えば、Ｄ−ＵＬ信号の受信品質）の劣化を抑制できる。また、ＤＬ区間において、ＤＬ信号の送受信に使用されないチャネル（Ｄ−ＵＬチャネル）を用いてＵＬ信号（Ｄ−ＵＬ信号）の送受信が行えるため、伝送効率（例えば、ＵＬ信号の伝送効率）を向上させることができる。
【００９９】
また、図３と図４とに示したように、チャネル間の離調周波数の大きさに基づいて、第２の変調方式が設定される。
【０１００】
例えば、図４の例は、図３の例よりもＤ−ＤＬチャネルとＤ−ＵＬチャネルの間の離調周波数が大きいため、図４の例におけるチャネル間の干渉の影響は、図３の例よりも小さい。そのため、図４の例における第２の変調方式は、図３の例における第２の変調方式の変調多値数よりも大きい変調多値数の変調方式に設定される。これにより、チャネル間の離調周波数の大きさに起因するチャネル間の干渉の影響の大きさに基づいて、適切な変調方式が設定されるため、伝送品質の劣化の抑制と伝送効率の向上とのバランスを図ることができる。
【０１０１】
このように、チャネル間の離調周波数の大きさに基づいて、第２の変調方式を設定することによって、伝送効率の劣化の抑制と、伝送効率の向上を両立できる。
【０１０２】
以上の説明では、基地局１００が２つのチャネルを選択する例について説明した。次に、基地局１００が３つのチャネルを選択する例について、図５、図６を参照して説明する。基地局１００が３つのチャネルを選択する場合、選択した３つの中で、ＤＬ区間においてＤＬ信号が送受信されるチャネル（Ｄ−ＤＬチャネル）に応じて、第２の変調方式を変更してもよい。
【０１０３】
図５は、本実施の形態に係る送受信信号の第３の例を示す図である。
【０１０４】
図５の横軸は時間を示し、縦軸は周波数を示す。図５には、図３、図４と同様に、チャネルｆ１１とチャネルｆ１２とチャネルｆ１３とを含むＢａｎｄ１が示される。
【０１０５】
また、図５には、ｎ番目（ｎは１以上の整数）のフレーム（フレーム＃ｎ）とｎ＋１番目のフレーム（フレーム＃ｎ＋１）の２つのフレームが示される。
【０１０６】
図５は、基地局１００が、Ｂａｎｄ１に含まれるチャネルｆ１１とチャネルｆ１２とチャネルｆ１３を選択し、チャネルｆ１１をＤ−ＤＬチャネルに設定し、チャネルｆ１３とチャネルｆ１３とをＤ−ＵＬチャネルに設定した場合の送受信信号の例である。
【０１０７】
図５の例では、ＵＬ区間において、端末２００はチャネルｆ１１とチャネルｆ１２とチャネルｆ１３とを使用してＵＬ信号（Ｕ−ＵＬ信号）を送信し、基地局１００はチャネルｆ１１とチャネルｆ１２とチャネルｆ１３とを使用してＵ−ＵＬ信号を受信する。図５の例において、Ｕ−ＵＬ信号の変調に用いられる変調方式（第１の変調方式）は、２５６ＱＡＭである。
【０１０８】
そして、図５の例では、ＤＬ区間において、基地局１００はチャネルｆ１１を使用してＤＬ信号を送信し、端末２００はチャネルｆ１２とチャネルｆ１３とを使用してＵＬ信号（Ｄ−ＵＬ信号）を送信する。ＤＬ区間において、基地局１００は、チャネルｆ１２とチャネルｆ１３とを使用して端末２００によって送信されたＤ−ＵＬ信号を受信し、端末２００は、チャネルｆ１１を使用して基地局１００によって送信されたＤＬ信号を受信する。
【０１０９】
図５の例では、端末２００は、複数のＤ−ＵＬチャネルのそれぞれを使用してＤ−ＵＬ信号を送信する。この場合、Ｄ−ＵＬチャネルとＤ−ＤＬチャネルとの間の離調周波数の大きさに応じて、Ｄ−ＵＬ信号の変調に用いられる変調方式（第２の変調方式）が設定される。
【０１１０】
図５の例では、チャネルｆ１１とチャネルｆ１２との間の離調周波数の大きさｄｆａが、チャネルｆ１１とチャネルｆ１３との間の離調周波数の大きさｄｆｃよりも小さいため、チャネルｆ１２を使用して送信されるＤ−ＵＬ信号は、チャネルｆ１３を使用して送信されるＤ−ＵＬ信号の変調方式よりも変調多値数の小さい変調方式を使用する。図５の例では、チャネルｆ１２を使用して送信されるＤ−ＵＬ信号の変調方式は１６ＱＡＭであり、チャネルｆ１３を使用して送信されるＤ−ＵＬ信号の変調方式は６４ＱＡＭである。
【０１１１】
図５に示すように、複数のＤ−ＵＬチャネルが設定されている場合、Ｄ−ＵＬチャネルとＤ−ＤＬチャネルの間の離調周波数の大きさに基づいて、複数のＤ−ＵＬチャネルそれぞれに対する第２の変調方式を設定することによって、伝送効率の劣化の抑制と、伝送効率の向上を両立できる。
【０１１２】
図６は、本実施の形態に係る送受信信号の第４の例を示す図である。
【０１１３】
図６の横軸は時間を示し、縦軸は周波数を示す。図６には、図３―図５と同様に、チャネルｆ１１とチャネルｆ１２とチャネルｆ１３とを含むＢａｎｄ１が示される。
【０１１４】
また、図６には、ｎ番目（ｎは１以上の整数）のフレーム（フレーム＃ｎ）とｎ＋１番目のフレーム（フレーム＃ｎ＋１）の２つのフレームが示される。
【０１１５】
図６の例は、図５の例と同様に、基地局１００が、Ｂａｎｄ１に含まれるチャネルｆ１１とチャネルｆ１２とチャネルｆ１３を選択した場合の送受信信号の例である。ただし、図６の例は、図５の例と異なり、基地局１００が、チャネルｆ１２をＤ−ＤＬチャネルに設定し、チャネルｆ１１とチャネルｆ１３とをＤ−ＵＬチャネルに設定している。図６の例では、ＤＬ区間において、基地局１００はチャネルｆ１２を使用してＤＬ信号を送信し、端末２００はチャネルｆ１１とチャネルｆ１３とを使用してＵＬ信号（Ｄ−ＵＬ信号）を送信する。
【０１１６】
図６の例では、図５の例と同様に、端末２００は、複数のＤ−ＵＬチャネルのそれぞれを使用してＤ−ＵＬ信号を送信する。この場合、Ｄ−ＵＬチャネルとＤ−ＤＬチャネルとの間の離調周波数の大きさに応じて、第２のＵＬ信号の変調に用いられる変調方式（第２の変調方式）が設定される。
【０１１７】
例えば、図６の例では、チャネルｆ１１とチャネルｆ１２との間の離調周波数の大きさｄｆａが、チャネルｆ１２とチャネルｆ１３との間の離調周波数の大きさｄｆｂと同じであるため、チャネルｆ１１を使用して送信されるＤ−ＵＬ信号は、チャネルｆ１３を使用して送信されるＤ−ＵＬ信号の変調方式と同じ変調多値数の変調方式を使用する。図６の例では、チャネルｆ１１を使用して送信されるＤ−ＵＬ信号の変調方式とチャネルｆ１３を使用して送信されるＤ−ＵＬ信号の変調方式は、いずれも、１６ＱＡＭである。
【０１１８】
図５、図６に示すように、複数のＤ−ＵＬチャネルが設定されている場合、Ｄ−ＵＬチャネルとＤ−ＤＬチャネルの間の離調周波数の大きさに基づいて、複数のＤ−ＵＬチャネルそれぞれに対する第２の変調方式を設定することによって、伝送効率の劣化の抑制と、伝送効率の向上を両立できる。
【０１１９】
以上説明したように、基地局１００は、複数のチャネルを通信に用いるチャネルとして選択した場合に、Ｕ−ＵＬ信号の変調方式、および／または、Ｄ−ＤＬチャネルとＤ−ＵＬチャネルの位置関係（例えば、離調周波数の大きさ）に基づいて、Ｄ−ＵＬ信号の変調方式（第２の変調方式）を設定する。また、複数のＤ−ＵＬチャネルが設定される場合、複数のＤ−ＵＬチャネルそれぞれを使用して送受信されるＤ−ＵＬ信号毎に、第２の変調方式を設定する。なお、基地局１００が第２の変調方式を設定した場合、基地局１００は、設定した第２の変調方式を示す情報を端末２００へ通知する。
【０１２０】
＜ＤＬ信号のフレームのフォーマット＞
次に、端末２００へ通知する情報を含むＤＬ信号のフレームのフォーマットの例を説明する。
【０１２１】
図７は、ＤＬ信号に含まれるフレームのフォーマットの一例を示す図である。
【０１２２】
図７に示すフォーマットは、「変調方式、符号化率、ＭＩＭＯ関係情報、および、ＡＣＫ／ＮＡＣＫ」の情報を含むフィールドＦ１、「ＤＬ区間におけるＵＬ信号の変調方式等」の情報を含むフィールドＦ２、および、「干渉量情報および周波数情報」を含むフィールドＦ３を有する。
【０１２３】
フィールドＦ１は、ＵＬ区間において複数のチャネルそれぞれを使用して送信するＵＬ信号の変調方式、誤り訂正符号化の符号化率、ＭＩＭＯ関係情報を含む。また、フィールドＦ１は、ＵＬ信号の受信の成否を示すＡＣＫ（Acknowledgement）またはＮＡＣＫ（Negative Acknowledgement）の情報を含む。複数のチャネルとは、例えば、基地局１００によって選択されたチャネルに相当してもよいし、例えば、使用可能な全てのチャネルに相当してもよい。例えば、フィールドＦ１に含まれる情報は、１つのチャネル当り２５６ビットによって示される。フィールドＦ１のサイズは、例えば、２５６ビット×チャネル数に相当する。
【０１２４】
フィールドＦ２は、ＤＬ区間において、端末２００が送信するＵＬ信号（Ｄ−ＵＬ信号）の変調方式などの情報を含む。例えば、フィールドＦ２に含まれる情報は、１つのチャネル当り８ビットによって示される。基地局１００によって選択されたチャネルのうち、１つのチャネルがＤＬ区間におけるＤＬ信号の送受信に使用される場合、フィールドＦ２のサイズは、８ビット×（チャネル数−１）に相当する。ただし、端末２００が送信するＵＬ信号（Ｄ−ＵＬ信号）の変調方式などは、ＤＬ信号の送受信に使用されるチャネルとの離調周波数により固定的に決定された値を使用すれば、フィールドＦ２は不要とすることも可能ではある。しかし、フィールドＦ２を追加することにより、より柔軟にＵＬ信号（Ｄ−ＵＬ信号）の変調方式などを設定可能となるため、伝送効率とＵＬ信号（Ｄ−ＵＬ信号）の通信品質の両立を図るための設定の自由度が向上する。
【０１２５】
フィールドＦ３は、複数のチャネルそれぞれの周波数情報および干渉量情報を含む。例えば、フィールドＦ３に含まれる情報は、１つのチャネル当り１６ビットによって示される。フィールドＦ３のサイズは、例えば、１６ビット×チャネル数に相当する。
【０１２６】
＜基地局１００の処理フロー＞
次に、本実施の形態における基地局１００の処理フローについて説明する。図８は、本実施の形態における基地局１００の処理フローの一例を示すフローチャートである。図８は、基地局１００が、２つのチャネル（チャネル＃１とチャネル＃２）を選択し、２つのチャネルのうち、チャネル＃１をＤ−ＵＬチャネルに設定し、チャネル＃２をＤ−ＤＬチャネルに設定した例である。図８では、ｎ番目のフレームのＵＬ区間とＤＬ区間における２つのチャネル（チャネル＃１とチャネル＃２）を使用した信号の送受信の処理フローが示されている。
【０１２７】
基地局１００は、ＵＬ区間において、チャネル＃１とチャネル＃２を使用して、端末２００によって送信されるＵＬ信号を受信する（Ｓ１０１）。Ｓ１０１にて、基地局１００が受信するＵＬ信号は、端末２００が、第１の送信方法（例えば、２５６ＱＡＭの変調方式を含む送信方法）を用いて送信したＵＬ信号である。
【０１２８】
基地局１００は、受信したＵＬ信号に対して、第１の送信方法に対応する第１の受信方法（例えば、２５６ＱＡＭに対応する復調を含む受信方法）を用いて受信信号処理を行う（Ｓ１０２）。
【０１２９】
基地局１００は、ＤＬ信号の送信タイミングが到来したか否か、つまり、ＤＬ区間の開始タイミングが到来したか否かを判定する（Ｓ１０３）。
【０１３０】
ＤＬ信号の送信タイミングが到来していない場合（Ｓ１０３にてＮＯ）、つまり、ＵＬ区間中である場合、フローは、Ｓ１０１の処理へ戻り、ＤＬ信号の送信タイミングが到来するまで、基地局１００は、ＵＬ信号を受信する。
【０１３１】
ＤＬ信号の送信タイミングが到来した場合（Ｓ１０３にてＹＥＳ）、基地局１００は、ＤＬ区間において、チャネル＃１を使用して端末２００によって送信されるＵＬ信号を受信し、チャネル＃２を使用して端末２００に対してＤＬ信号を送信する（Ｓ１０４）。Ｓ１０４にて、基地局１００が受信するＵＬ信号は、端末２００が、第２の送信方法（例えば、１６ＱＡＭの変調方式を含む送信方法）を用いて送信したＵＬ信号である。
【０１３２】
基地局１００は、受信したＵＬ信号に対して、第２の送信方法に対応する第２の受信方法（例えば、１６ＱＡＭに対応する復調を含む受信方法）を用いて受信信号処理を行う（Ｓ１０５）。
【０１３３】
そして、ｎ番目のフレームにおけるＤＬ区間の終了までＵＬ信号の受信とＤＬ信号の送信を行い、フローは、終了する。
【０１３４】
＜端末２００の処理フロー＞
次に、本実施の形態における端末２００の処理フローについて説明する。図９は、本実施の形態における端末２００の処理フローの一例を示すフローチャートである。図９は、基地局１００が、２つのチャネル（チャネル＃１とチャネル＃２）を選択し、２つのチャネルのうち、チャネル＃１をＤ−ＵＬチャネルに設定し、チャネル＃２をＤ−ＤＬチャネルに設定した例である。図９では、ｎ番目のフレームのＵＬ区間とＤＬ区間における２つのチャネル（チャネル＃１とチャネル＃２）を使用した信号の送受信の処理フローが示されている。
【０１３５】
端末２００は、第１の送信方法（例えば、２５６ＱＡＭの変調方式を含む送信方法）を用いて、ＵＬ信号の送信信号処理を行う（Ｓ２０１）。
【０１３６】
端末２００は、ＵＬ区間において、チャネル＃１とチャネル＃２を使用して、基地局１００に対してＵＬ信号を送信する（Ｓ２０２）。
【０１３７】
端末２００は、ＤＬ信号の受信タイミングが到来したか否か、つまり、ＤＬ区間の開始タイミングが到来したか否かを判定する（Ｓ２０３）。
【０１３８】
ＤＬ信号の受信タイミングが到来していない場合（Ｓ２０３にてＮＯ）、つまり、ＵＬ区間中である場合、フローは、Ｓ２０１の処理へ戻り、ＤＬ信号の受信タイミングに到達するまで、端末２００は、ＵＬ信号を送信する。
【０１３９】
ＤＬ信号の受信タイミングが到来した場合（Ｓ２０３にてＹＥＳ）、端末２００は、第２の送信方法（例えば、１６ＱＡＭの変調方式を含む送信方法）を用いて、ＵＬ信号の送信信号処理を行う（Ｓ２０４）。
【０１４０】
そして、端末２００は、ＤＬ区間において、チャネル＃１を使用して基地局１００に対してＵＬ信号を送信し、チャネル＃２を使用して基地局１００によって送信されるＤＬ信号を受信する（Ｓ２０５）。そして、ｎ番目のフレームにおけるＤＬ区間の終了までＵＬ信号の送信とＤＬ信号の受信を行い、フローは、終了する。
【０１４１】
以上、本実施の形態では、基地局１００は、ＤＬ区間において、端末２００に対してＤ−ＤＬチャネルを使用してＤＬ信号を送信する。そして、基地局１００は、ＵＬ区間において、端末２００が第１の送信方法を用いて送信したＵＬ信号（Ｕ−ＵＬ信号）を受信し、ＤＬ区間において、Ｄ−ＵＬチャネルを使用し、端末２００が第１の送信方法よりも受信性能の高い第２の送信方法を用いて送信したＵＬ信号（Ｄ−ＵＬ信号）を受信する。この構成により、Ｄ−ＤＬチャネルとＤ−ＵＬチャネルとの間にチャネル間の干渉が発生する場合であっても、Ｄ−ＵＬチャネルを使用して受信するＤ−ＵＬ信号には、受信性能の高い送信方法が適用されているため、伝送品質の劣化を抑制できる。また、ＵＬ区間に加え、ＤＬ区間においても、ＵＬ信号が送受信できるため、ＵＬ信号の伝送効率を向上させることができる。
【０１４２】
また、本実施の形態によれば、基地局１００のＵＬ／ＤＬ選択部１０８は、チャネル選択部１０７によって選択されたチャネルの中で、比較的低いキャリア周波数のチャネルをＤＬ送信に使用する、と選択する。この選択方法により、基地局１００は、伝搬損失が比較的少ないチャネルを使用してＤＬ信号を送信できるため、ＤＬ信号の伝送品質の劣化を抑制することができる。
【０１４３】
なお、上述した本実施の形態では、ＵＬ／ＤＬ選択部１０８は、チャネル選択部１０７によって選択されたチャネルの中で、比較的低いキャリア周波数のチャネルをＤ−ＤＬチャネルに選択する例について説明したが、本開示はこれに限定されない。
【０１４４】
例えば、ＵＬ／ＤＬ選択部１０８は、チャネル選択部１０７によって選択されたチャネルの中で、干渉測定部１０６によって測定された受信レベル（干渉量）が比較的低いチャネルをＤ−ＤＬチャネルに選択しても良い。この選択方法により、基地局１００は、他のシステムからの干渉が比較的少ないチャネルを使用してＤＬ信号を送信できるため、ＤＬ信号の伝送品質の劣化を抑制できる。
【０１４５】
また、上記で説明した実施の形態では、基地局１００のチャネル選択部１０７が、干渉測定の結果に基づいて通信に使用するチャネルを選択し、ＵＬ／ＤＬ選択部１０８が、チャネル選択部１０７によって選択されたチャネルそれぞれをＤ−ＵＬチャネルまたはＤ−ＤＬチャネルに設定する例について説明した。本開示はこれに限定されない。例えば、基地局１００と端末２００とは、予め設定されたチャネルを使用してもよく、Ｄ−ＵＬチャネルまたはＤ−ＤＬチャネルが、予め設定されていてもよい。この場合、Ｄ−ＵＬチャネルを使用して送受信されるＤ−ＵＬ信号の信号処理パラメータが、予め設定されていてもよい。
【０１４６】
例えば、通信に使用するチャネル、および、当該チャネルがＤ−ＵＬチャネルとＤ−ＤＬチャネルのどちらに使用されるか、という設定が、基地局１００と端末２００との間で既知の場合、基地局１００は、端末２００に対してチャネル情報を送信しなくても良い。
【０１４７】
また、上記で説明した実施の形態における、利用可能な周波数帯および各周波数帯に含まれるチャネルの数は、一例であり、本開示はこれに限定されない。例えば、利用可能な周波数帯は２つ以上であっても良いし、各周波数帯に含まれるチャネルの数は４つ以上であっても良いし、２つ以下であっても良い。各周波数帯に含まれるチャネルの数は、互いに異なっていても良い。
【０１４８】
また、上記で説明した実施の形態では、図３−図６にて、基地局１００が同一の周波数帯に含まれるチャネルを通信に用いるチャネルとして選択する例を示した。本開示はこれに限定されない。例えば、基地局１００が異なる周波数帯に含まれるチャネルを通信に用いるチャネルとして選択し、選択したチャネルをＤ−ＤＬチャネルまたはＤ−ＵＬチャネルに設定してもよい。この場合、基地局１００は、Ｕ−ＵＬ信号の変調方式、および／または、Ｄ−ＤＬチャネルとＤ−ＵＬチャネルの位置関係（例えば、離調周波数の大きさ）に基づいて、Ｄ−ＵＬチャネルを使用して送受信されるＤ−ＵＬ信号の信号処理パラメータを設定してもよい。
【０１４９】
また、上記で説明した実施の形態では、１つのチャネルがＤ−ＤＬチャネルに設定される例を示した。本開示はこれに限定されない。例えば、基地局１００は、２つ以上のチャネルをＤ−ＤＬチャネルに設定してもよい。この場合、基地局１００は、Ｕ−ＵＬ信号の送受信方法、および／または、Ｄ−ＤＬチャネルとＤ−ＵＬチャネルの位置関係（例えば、離調周波数の大きさ）に基づいて、Ｄ−ＵＬチャネルを使用して送受信されるＤ−ＵＬ信号の信号処理パラメータを設定してもよい。
【０１５０】
以上、図面を参照しながら各種の実施の形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施の形態における各構成要素を任意に組み合わせてもよい。
【０１５１】
上記各実施の形態では、本開示はハードウェアを用いて構成する例にとって説明したが、本開示はハードウェアとの連携においてソフトウェアでも実現することも可能である。
【０１５２】
また、上記実施の形態の説明に用いた各機能ブロックは、典型的には集積回路であるＬＳＩとして実現される。集積回路は、上記実施の形態の説明に用いた各機能ブロックを制御し、入力と出力を備えてもよい。これらは個別に１チップ化されてもよいし、各機能ブロックの一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５３】
また、集積回路化の手法にはＬＳＩに限らず、専用回路または汎用プロセッサを用いて実現してもよい。ＬＳＩ製造後に、プログラムすることが可能なＦＰＧＡ（Ｆｉｅｌｄ Ｐｒｏｇｒａｍｍａｂｌｅ Ｇａｔｅ Ａｒｒａｙ）、又は、ＬＳＩ内部の回路セルの接続、設定が再構成可能なリコンフィグラブル・プロセッサーを利用してもよい。
【０１５４】
更には、半導体技術の進歩または派生する別技術によりＬＳＩに置き換わる集積回路化の技術が登場すれば、当然、別技術を用いて機能ブロックの集積化を行ってもよい。バイオ技術の適用等が可能性としてあり得る。
【０１５５】
なお、本開示は、無線通信装置、または制御装置において実行される制御方法として表現することが可能である。また、本開示は、かかる制御方法をコンピュータにより動作させるためのプログラムとして表現することも可能である。更に、本開示は、かかるプログラムをコンピュータによる読み取りが可能な状態で記録した記録媒体として表現することも可能である。すなわち、本開示は、装置、方法、プログラム、記録媒体のうち、いずれのカテゴリーにおいても表現可能である。
【０１５６】
また、本開示は、部材の種類、配置、個数等は前述の実施の形態に限定されるものではなく、その構成要素を同等の作用効果を奏するものに適宜置換する等、発明の要旨を逸脱しない範囲で適宜変更することができる。例えば、ＤＬで映像情報やユーザデータを送信し、ＵＬでＤＬに関する制御情報等を送信するような通信形態においても、本開示は同様に適用できることはいうまでもない。
【産業上の利用可能性】
【０１５７】
本開示は、ＦＰＵ等の端末、基地局に用いるに好適である。
【符号の説明】
【０１５８】
１００  基地局
１０１、２０１  送受切替部
１０２−１〜１０２−Ｍ、２０２−１〜２０２−Ｎ  無線受信部
１０３、２０３  ベースバンド受信処理部
１０４、２０４  ＡＧＣ／同期検出部
１０５、２０５  受信処理制御部
１０６  干渉測定部
１０７  チャネル選択部
１０８  ＵＬ／ＤＬ選択部
１０９  チャネル情報生成部
１１０、２０７  ベースバンド送信処理部
１１１、２０８  プリアンブル生成部
１１２、２０９  付加部
１１３−１〜１１３−Ｎ、２１０−１〜２１０−Ｍ  無線送信部
１１４、２１１  受信部
１１５、２１２  送信部
２００  端末
２０６  チャネル情報抽出部
【図１】
2019176243.tif 000003
【図２】
2019176243.tif 000004
【図３】
2019176243.tif 000005
【図４】
2019176243.tif 000006
【図５】
2019176243.tif 000007
【図６】
2019176243.tif 000008
【図７】
2019176243.tif 000009
【図８】
2019176243.tif 000010
【図９】
2019176243.tif 000011